(57)【要約】【課題】著作権を保護すると共に、利用者が取得した著作権コンテンツを別の利用者が簡易に取得可能とすること。【解決手段】ＣＰサーバ４０Ａにおいて、著作権判断部４２２が、要求されたコンテンツが著作権コンテンツであると判断すると、設定部４２４が、著作権コンテンツの記憶されている記憶領域を特定可能な情報を含む著作権コンテンツ周知ｕｒｌを設定し、携帯電話機によるコンテンツの配信要求に応じて送信部４２８が著作権コンテンツと共に著作権コンテンツ周知ｕｒｌを携帯電話機へ送信する。そして、携帯電話機において、著作権コンテンツ周知ｕｒｌを著作権コンテンツと共に取得し、著作権コンテンツ周知ｕｒｌを電子メールに添付して他の携帯電話機に送信する。他の携帯電話機は、受信した著作権コンテンツ周知ｕｒｌを用いて、ＣＰサーバ４０Ａに対して著作権コンテンツの配信要求を行うことができる。【選択図】図５
2007164588.tif 000002
【特許請求の範囲】
【請求項１】
個々に識別可能な複数の通信端末と、前記通信端末が属する通信網に接続した伝達サーバとを備えるコンテンツ伝達システムにおいて、
前記伝達サーバは、
コンテンツが著作権の設定された著作権コンテンツか否かを判断する判断手段と、
前記判断手段によって著作権コンテンツであると判断されたコンテンツが記憶されている記憶領域を特定可能な情報を含むアクセス先情報を設定する設定手段と、
前記通信端末からコンテンツの配信を要求する配信要求を受信する受信手段と、
前記配信要求に応じて、前記著作権コンテンツおよび該当する前記アクセス先情報を返信する送信手段と、を有し、
前記通信端末は、
前記配信要求を前記伝達サーバへ送信する要求手段と、
前記伝達サーバから前記配信要求に応じた著作権コンテンツと該当する前記アクセス先情報とを取得する情報取得手段と、
前記情報取得手段によって取得した著作権コンテンツとアクセス先情報とを関連付けて記憶する記憶手段と、
他の通信端末に前記記憶手段に記憶されているアクセス先情報を送信する送信手段と、
を有することを特徴とするコンテンツ伝達システム。
【請求項２】
前記他の通信端末は、
前記通信端末から送信されたアクセス先情報を受信する受信手段と、
前記受信手段が受信したアクセス先情報を用いて前記コンテンツの配信要求を行う要求手段と、
前記伝達サーバから前記配信要求に応じた著作権コンテンツと該当する前記アクセス先情報とを取得する情報取得手段と、
を備えることを特徴とする請求項１に記載のコンテンツ伝達システム。
【請求項３】
通信端末へ提供するコンテンツが著作権の設定された著作権コンテンツか否かを判断する判断手段と、
前記判断手段によって著作権コンテンツであると判断されたコンテンツが記憶されている記憶領域を特定可能な情報を含むアクセス先情報を設定する設定手段と、
前記通信端末からコンテンツの配信要求を受信する受信手段と、
前記配信要求に応じて、前記著作権コンテンツおよび該当する前記アクセス先情報を返信する送信手段と、
を備えることを特徴とする伝達サーバ。
【請求項４】
前記設定手段は、前記コンテンツを提供する通信端末毎又は利用者毎に前記アクセス先情報を設定し、
前記伝達サーバは、さらに、前記アクセス先情報に関して当該アクセス先情報を前記伝達サーバが提供する通信端末又は利用者を特定する情報と当該アクセス先情報を用いてコンテンツの要求を行った通信端末又は利用者を特定する情報とを関連付けて記憶する記憶手段を有することを特徴とする請求項３に記載の伝達サーバ。
【請求項５】
著作権の設定された著作権コンテンツの配信を要求する配信要求を前記伝達サーバへ送信する要求手段と、
前記伝達サーバから前記配信要求に応じた著作権コンテンツと当該著作権コンテンツが記憶されている記憶領域を特定可能な情報を含むアクセス先情報とを取得する情報取得手段と、
前記情報取得手段によって取得した著作権コンテンツとアクセス先情報とを関連付けて記憶する記憶手段と、
他の通信端末に前記記憶手段に記憶されているアクセス先情報を送信する送信手段と、
を備えることを特徴とする通信端末。
【請求項６】
前記記憶手段は、前記通信端末の前記情報取得手段が前記アクセス先情報を用いて行ったコンテンツの要求に応じて著作権コンテンツと当該著作権コンテンツに対応するアクセス先情報を取得した場合、前記コンテンツの要求に用いたアクセス先情報の記憶を削除して、取得した著作権コンテンツとアクセス先情報とを記憶することを特徴とする請求項５に記載の通信端末。
【請求項７】
著作権の設定された著作権コンテンツを提供する伝達サーバによって設定された情報であって、前記著作権コンテンツが記憶されている記憶領域を特定可能な情報を含むアクセス先情報が含まれた情報を通信端末から受信する受信手段と、
前記受信手段が受信した情報に前記アクセス先情報が含まれている場合に、前記情報が前記アクセス先情報を含むと共にコンテンツ自体を含まない仮想コンテンツであると判断する仮想添付判断手段と、
前記仮想添付判断手段によって仮想コンテンツであると判断された場合に、前記仮想コンテンツを受信した旨を表示する表示手段と、
を備えることを特徴とする通信端末。
【請求項８】
個々に識別可能な複数の通信端末と、前記通信端末が属する通信網に接続した伝達サーバと、を含んで構成されたコンテンツ伝達システムにおけるコンテンツ伝達方法であって、
前記通信端末が、コンテンツの配信を要求する配信要求を送信する要求ステップと、
前記伝達サーバが、要求ステップにおいて送信された配信要求を受信する受信ステップと、
前記伝達サーバが、提供するコンテンツが著作権の設定された著作権コンテンツか否かを判断する判断ステップと、
前記伝達サーバが、前記判断ステップにおいて著作権コンテンツであると判断されたコンテンツが記憶されている記憶領域を特定可能な情報を含むアクセス先情報を設定する設定ステップと、
前記伝達サーバが、前記受信ステップにおいて受信した配信要求に応じて、前記著作権コンテンツ及び該当する前記アクセス先情報を前記通信端末へ送信する送信ステップと、
前記通信端末が、前記配信要求に応じた著作権コンテンツと該当する前記アクセス先情報とを取得する情報取得ステップと、
前記通信端末が、前記情報取得ステップにおいて取得した著作権コンテンツとアクセス先情報とを関連付けて記憶する記憶ステップと、
前記通信端末が、他の通信端末に前記記憶ステップにおいて記憶したアクセス先情報を送信する情報送信ステップと、
を備えることを特徴とするコンテンツ伝達方法。
【発明の詳細な説明】
【技術分野】
【０００１】
本発明は、著作権保護が付与された画像、音楽、動画等のデジタルコンテンツを取り扱うコンテンツ伝達システム、伝達サーバ、通信端末、及びコンテンツ伝達方法に関するものである。
【背景技術】
【０００２】
近年は、携帯電話機などを利用して有料の着信音などのデジタルコンテンツの購入などが行われている。また、ネットワークに接続可能な通信端末によって、画像、音楽、及び動画等のデジタルコンテンツをダウンロードすることが可能である。これらのコンテンツには著作権が発生しており、コンテンツの著作権を保護する技術が知られている。例えば、コンテンツをダウンロードした通信端末によってのみコンテンツの利用が可能となるように、コンテンツの複製を禁止する情報がコンテンツのファイルに埋め込まれている。
【０００３】
また、下記特許文献１には、通信端末において、利用者がメールの送信を指示した内容に著作権が設定されたデータが含まれている場合に、著作権が設定されたデータを削除してメールの送信を行う技術が記載されている。
【特許文献１】特開２００５−１７４１３２号公報
【発明の開示】
【発明が解決しようとする課題】
【０００４】
すなわち、著作権が設定された著作権コンテンツを電子メールに付与して別の利用者にコンテンツを紹介することは、著作権を保護するためにできない。そこで、別の利用者にコンテンツを紹介する方法として、ダウンロードしたＵＲＬ等の情報を提供する方法がある。しかし、利用者がそのＵＲＬ等を記憶している場合は少なく、再度インターネットにてＵＲＬ等を検索するという手間がかかっていた。このように、他の利用者が取得した著作権コンテンツを簡易に取得することができなかった。
【０００５】
そこで本発明は、著作権を保護すると共に、利用者が取得した著作権コンテンツを別の利用者が簡易に取得可能とすることを目的とする。
【課題を解決するための手段】
【０００６】
上記課題を解決するために、本発明のコンテンツ伝達システムは、個々に識別可能な複数の通信端末と、通信端末が属する通信網に接続した伝達サーバとを備えるコンテンツ伝達システムにおいて、（Ａ）伝達サーバは、（１）コンテンツが著作権の設定された著作権コンテンツか否かを判断する判断手段と、（２）判断手段によって著作権コンテンツであると判断されたコンテンツが記憶されている記憶領域を特定可能な情報を含むアクセス先情報を設定する設定手段と、（３）通信端末からコンテンツの配信を要求する配信要求を受信する受信手段と、（４）配信要求に応じて、著作権コンテンツおよび該当するアクセス先情報を返信する送信手段と、を有し、（Ｂ）通信端末は、（１）配信要求を伝達サーバへ送信する要求手段と、（２）伝達サーバから配信要求に応じた著作権コンテンツと該当するアクセス先情報とを取得する情報取得手段と、（３）情報取得手段によって取得した著作権コンテンツとアクセス先情報とを関連付けて記憶する記憶手段と、（４）他の通信端末に記憶手段に記憶されているアクセス先情報を送信する送信手段と、を有する。
【０００７】
本発明のコンテンツ伝達方法は、個々に識別可能な複数の通信端末と、通信端末が属する通信網に接続した伝達サーバと、を含んで構成されたコンテンツ伝達システムにおけるコンテンツ伝達方法であって、（１）通信端末が、コンテンツの配信を要求する配信要求を送信する要求ステップと、（２）伝達サーバが、要求ステップにおいて送信された配信要求を受信する受信ステップと、（３）伝達サーバが、提供するコンテンツが著作権の設定された著作権コンテンツか否かを判断する判断ステップと、（４）伝達サーバが、判断ステップにおいて著作権コンテンツであると判断されたコンテンツが記憶されている記憶領域を特定可能な情報を含むアクセス先情報を設定する設定ステップと、（５）伝達サーバが、受信ステップにおいて受信した配信要求に応じて、著作権コンテンツ及び該当するアクセス先情報を通信端末へ送信する送信ステップと、（６）通信端末が、配信要求に応じた著作権コンテンツと該当するアクセス先情報とを取得する情報取得ステップと、（７）通信端末が、情報取得ステップにおいて取得した著作権コンテンツとアクセス先情報とを関連付けて記憶する記憶ステップと、（８）通信端末が、他の通信端末に記憶ステップにおいて記憶したアクセス先情報を送信する情報送信ステップと、を備える。
【０００８】
本発明の伝達サーバは、通信端末へ提供するコンテンツが著作権の設定された著作権コンテンツか否かを判断する判断手段と、判断手段によって著作権コンテンツであると判断されたコンテンツが記憶されている記憶領域を特定可能な情報を含むアクセス先情報を設定する設定手段と、通信端末からコンテンツの配信要求を受信する受信手段と、配信要求に応じて、著作権コンテンツおよび該当するアクセス先情報を返信する送信手段と、を備える。
【０００９】
本発明の通信端末は、著作権の設定された著作権コンテンツの配信を要求する配信要求を伝達サーバへ送信する要求手段と、伝達サーバから配信要求に応じた著作権コンテンツと当該著作権コンテンツが記憶されている記憶領域を特定可能な情報を含むアクセス先情報とを取得する情報取得手段と、情報取得手段によって取得した著作権コンテンツとアクセス先情報とを関連付けて記憶する記憶手段と、他の通信端末に記憶手段に記憶されているアクセス先情報を送信する送信手段と、を備える。
【００１０】
本発明によれば、判断手段によって著作権コンテンツであると判断されると、設定手段が、著作権コンテンツの記憶されている記憶領域を特定可能な情報を含むアクセス先情報を設定し、通信端末の配信要求に応じて伝達サーバの送信手段が著作権コンテンツと共にアクセス先情報を提供するので、通信端末において、著作権コンテンツ自体を含まず複製及び電子メールへの添付が可能であるアクセス先情報を著作権コンテンツと共に取得することができる。そして、通信端末において、記憶手段が著作権コンテンツとアクセス先情報とを関連して記憶するので、通信端末において、著作権コンテンツと共にアクセス先情報を管理することができる。そして、送信手段が他の通信端末にアクセス先情報を送信するので、他の通信端末において、著作権コンテンツが記憶されている記憶領域を特定可能な情報を取得することができる。よって、利用者が取得した著作権コンテンツを別の利用者が簡易に取得可能とすることができる。
【００１１】
また、本発明のコンテンツ伝達システム含まれる他の通信端末は、通信端末から送信されたアクセス先情報を受信する受信手段と、受信手段が受信したアクセス先情報を用いてコンテンツの配信要求を行う要求手段と、伝達サーバから配信要求に応じた著作権コンテンツと該当するアクセス先情報とを取得する情報取得手段と、を備えることも好ましい。
【００１２】
このように、アクセス先情報を通信端末から受信した他の通信端末は、アクセス先情報を用いて著作権コンテンツの配信要求を行うので、他の通信端末において著作権コンテンツを取得することができる。よって、利用者が取得した著作権コンテンツを別の利用者が簡易に取得可能とすることができる。
【００１３】
また、本発明の伝達サーバの設定手段は、コンテンツを提供する通信端末毎又は利用者毎にアクセス先情報を設定し、伝達サーバは、さらに、アクセス先情報に関して当該アクセス先情報を伝達サーバが提供する通信端末又は利用者を特定する情報と当該アクセス先情報を用いてコンテンツの要求を行った通信端末又は利用者を特定する情報とを関連付けて記憶する記憶手段を有することも好ましい。
【００１４】
このようにすることにより、著作権コンテンツを取得した利用者と、その利用者からアクセス先情報を取得して著作権コンテンツを取得した利用者とを記憶できるので、どの利用者がどの利用者に著作権コンテンツを紹介したか記憶することができる。
【００１５】
また、本発明の通信端末の記憶手段は、通信端末の情報取得手段がアクセス先情報を用いて行ったコンテンツの要求に応じて著作権コンテンツと当該著作権コンテンツに対応するアクセス先情報を取得した場合、コンテンツの要求に用いたアクセス先情報の記憶を削除して、取得した著作権コンテンツとアクセス先情報とを記憶することも好ましい。
【００１６】
このように、通信端末が著作権コンテンツ及び対応するアクセス先情報を取得すると、配信要求に用いたアクセス先情報と入れ替えて、取得した著作権コンテンツ及びアクセス先情報を記憶するので、新たに取得したアクセス先情報を確実に第三者へ伝達することができる。よって、当該通信端末から伝達したことが、伝達サーバにおいて確実に記憶されることとなる。また、通信端末の利用者によるコンテンツの重複ダウンロードを抑制することができる。
【００１７】
また、本発明の通信端末は、伝達先通信端末の機能として、著作権の設定された著作権コンテンツを提供する伝達サーバによって設定された情報であって、著作権コンテンツが記憶されている記憶領域を特定可能な情報を含むアクセス先情報が含まれた情報を通信端末から受信する受信手段と、受信手段が受信した情報にアクセス先情報が含まれている場合に、情報がアクセス先情報を含みコンテンツ自体を含まない仮想コンテンツであると判断する仮想添付判断手段と、仮想添付判断手段によって仮想コンテンツであると判断された場合に、仮想コンテンツを受信した旨を表示する表示手段と、を備える。
【００１８】
このようにすることにより、コンテンツ実態ではなく、著作権コンテンツが記憶されている記憶領域を特定可能な情報を含む情報を受信したことを確実にユーザに知らせることができる。
【発明の効果】
【００１９】
本発明によれば、著作権を保護すると共に、利用者が取得した著作権コンテンツを別の利用者が簡易に取得可能とすることができる。
【発明を実施するための最良の形態】
【００２０】
次に、本発明の実施形態について、図面を参照して説明する。本実施形態は本発明の一形態を示すものであり、この発明を限定するものではない。また、本発明は、その技術的思想の範囲で任意に変更が可能である。
【００２１】
図１は、本実施形態にかかるコンテンツ伝達システムの概要構成図である。本実施形態に係るコンテンツ伝達システム１は、複数の携帯電話機（通信端末、他の通信端末、伝達先通信端末）１０Ａ，１０Ｂと、複数のＣＰ(ＣontentsProvider)サーバ（伝達サーバ）４０Ａ，４０Ｂ，４０Ｃ，４０Ｄと、を備える。コンテンツ伝達システム１は、コンテンツを提供するＣＰサーバ４０Ａ〜４０Ｄから携帯電話機１０Ａ，１０Ｂへコンテンツを配信するシステムである。コンテンツ伝達システム１は、著作権が設定されていないコンテンツと共に、著作権が設定された著作権コンテンツを取り扱う。著作権コンテンツの著作権を保護するために、著作権コンテンツには、コンテンツの複製、メールへの添付等を禁止する設定がされている。
【００２２】
ＣＰサーバ４０Ａ〜４０Ｄは、インターネットを利用する一般利用者の所有する携帯電話機１０Ａ，１０Ｂに画像、音楽、動画等のデジタルコンテンツを配信するサーバである。例えば、ＣＰサーバ４０Ａ〜４０Ｄは、HTML（Hypertext markup language）形式のファイルでコンテンツを格納して、利用者にコンテンツを提供している。また、ＣＰサーバ４０Ａ〜４０Ｄは、格納しているコンテンツの中で、著作権が発生する画像情報、音楽情報、動画情報等の著作権コンテンツについては、個人認証を行ってから提供することにより、著作権を保護してコンテンツを提供している。
【００２３】
携帯電話機１０Ａ，１０ＢとＣＰサーバ４０Ａ〜４０Ｄとは、移動体通信網２０Ａ及びインターネット３０Ａを介して接続可能に構成されている。移動体通信網２０Ａは、複数の無線基地局と複数のパケット加入者処理装置、ゲートウェイサーバ、及びこれらの装置を接続する通信回線によって構成されている。携帯電話機１０Ａ、１０Ｂは、移動体通信網２０Ａを利用して、パケット通信サービスを受ける携帯電話機でありブラウザＷＷＷ（world wide web）と電子メール機能を搭載している。
【００２４】
引き続いて、図２，３を参照して、携帯電話機１０Ａ，１０Ｂについて詳細に説明する。図２は、本実施形態に係る携帯電話機の概略構成図である。図３は、本実施形態に係る携帯電話機の機能的な構成図である。携帯電話機１０Ａと携帯電話機１０Ｂとは、互いに同じ物理的及び機能的な構成を有するので、携帯電話機１０Ａについて説明し、携帯電話機１０Ｂについての構成に関する説明は省略する。
【００２５】
図２に示すように、携帯電話機１０Ａは、構成要素として、通信部１０１、ＣＰＵ１０４、操作部１０５、表示部１０６、及び記憶部１０７を有する。これらの構成要素は、バス１０８により互いに接続されている。
【００２６】
通信部１０１は、移動体通信網２０Ａに含まれる基地局と無線データ通信を行う。通信部１０１は、ＣＰＵ１０４による制御を介して、例えば、WWWブラウザの送信データ、電子メールソフトの送信データを基地局に送信する。
【００２７】
ＣＰＵ１０４は、記憶部１０７に格納されている各種プログラムを実行することにより、バス１０８を介して接続されている各構成要素を制御する。
【００２８】
記憶部１０７は、ＲＯＭ(Read Only Memory)１０２と、ＲＡＭ(Random Access Memory)１０３を備えている。ＲＯＭ１０２には、ＣＰＵ１０４によって実行される各種プログラムおよび制御データなどが格納されている。各種プログラムとしては、例えば、携帯電話機１０Ａ用のオペレーティングシステムおよび上述したWWWブラウザ、電子メールソフトがある。
【００２９】
ＲＡＭ１０３は、ＣＰＵ１０４のワークエリアとして用いられる。例えば、携帯電話機１０Ａ用ＲＡＭ１０３には、電子メールソフトにより受信された電子メールデータ及びWWWブラウザを使ってダウンロードされた画像データ、著作権付き画像データ、著作権コンテンツ周知ｕｒｌ（アクセス先情報）などが一時的に格納される。著作権コンテンツ周知ｕｒｌとは、著作権コンテンツが記憶された記憶領域を特定可能な情報を含むＵＲＬである。例えば、著作権コンテンツ周知ＵＲＬは、著作権コンテンツが記憶された記憶領域の場所を指し示すＵＲＬ等である。また、例えば、著作権コンテンツ周知ＵＲＬは、著作権コンテンツが記憶された記憶領域の場所を指し示すＵＲＬと関連付けられた専用の電話番号、又は無線のキーコード等を含むものであってもよい。
【００３０】
操作部１０５は、文字、数字、および操作指示などを入力するためのキーを複数備えている。操作部１０５は、キー操作に応じた操作信号をＣＰＵ１０４に出力する。
【００３１】
表示部１０６（表示手段）は、表示画面である液晶パネルと、この液晶パネルの駆動を行う駆動回路とを備えている。
【００３２】
図３に示すように、携帯電話機１０Ａは、機能的な構成要素として、要求部（要求手段）１２１、情報取得部（情報取得手段）１２２、記憶部（記憶手段）１２３、メール作成部１２４、送信部（送信手段）１２５、受信部１２６、及び仮想添付判断部１２７を備えて構成される。
【００３３】
要求部１２１は、ＣＰサーバ４０Ａ〜４０Ｄに対してコンテンツの配信を要求する。要求部１２１は、ＣＰサーバ４０Ａ〜４０Ｄが提供するＨＰ等を利用して、コンテンツを特定する情報を含みコンテンツの配信を要求する旨の要求ＨＴＴＰリクエスト（配信要求）を該当するＣＰサーバへ送信する。また、コンテンツの配信を要求する旨の要求ＨＴＴＰリクエストには、個人認証を行うためのＩＤが含まれている。
【００３４】
ＩＤは、携帯電話機１０Ａ又は携帯電話機１０Ａの利用者を特定する情報であり、電話番号等が用いられる。例えば、ある利用者が携帯電話機とＰＤＡとを所有している場合に、その利用者の携帯電話機に対してＩＤ「ユーザ（１）」が設定され、その利用者のＰＤＡに対してＩＤ「ユーザ（２）」が設定される。
【００３５】
また、要求部１２１は、仮想添付判断部１２７から後述するように出力された著作権コンテンツ周知ｕｒｌ、又は記憶部１２３に後述するように記憶された著作権コンテンツ周知ｕｒｌを用いて著作権コンテンツの配信を要求する。要求部１２１は、著作権コンテンツ周知ｕｒｌに含まれる情報に従って、著作権コンテンツ周知ｕｒｌの情報を含み該当するコンテンツの配信を要求する旨の要求ＨＴＴＰリクエストを該当するＣＰサーバへ送信する。
【００３６】
情報取得部１２２は、ＣＰサーバ４０Ａ〜４０Ｄから、要求部１２１による要求に応じた著作権コンテンツを含むコンテンツをダウンロードする。情報取得部１２２は、著作権コンテンツと共に著作権コンテンツ周知ｕｒｌをＣＰサーバ４０Ａ〜４０Ｄから取得する。情報取得部１２２は、著作権コンテンツ周知ｕｒｌを取得した場合に、対応するコンテンツが著作権コンテンツであると判断する。
【００３７】
情報取得部１２２は、取得したコンテンツが著作権コンテンツではない場合にコンテンツのみを記憶部１２３へ出力する。また、情報取得部１２２は、取得したコンテンツが著作権コンテンツである場合に、著作権コンテンツと共に著作権コンテンツ周知ｕｒｌを記憶部１２３へ出力する。
【００３８】
記憶部１２３は、情報取得部１２２によって出力されたコンテンツを記憶する。記憶部１２３は、出力された著作権コンテンツと著作権コンテンツ周知ｕｒｌとを関連付けて記憶する。また、記憶部１２３は、仮想添付判断部１２７によって出力された著作権コンテンツ周知ｕｒｌを記憶する。
【００３９】
さらに記憶部１２３は、既に記憶している著作権コンテンツ周知ｕｒｌに対応する著作権コンテンツ及び著作権コンテンツ周知ｕｒｌが情報取得部１２２によって出力された場合は、既に記憶していた著作権コンテンツ周知ｕｒｌを削除する。そして、記憶部１２３は、新たに情報取得部１２２によって出力された著作権コンテンツ及び著作権コンテンツ周知ｕｒｌを記憶する。
【００４０】
メール作成部１２４は、携帯電話機１０Ａの利用者の要求に応じて、電子メールを作成する。メール作成部１２４は、携帯電話機１０Ａの利用者からコンテンツを電子メールに添付する旨の要求を受け付ける。メール作成部１２４は、受け付けたコンテンツが著作権コンテンツかどうか判断し、著作権コンテンツであった場合は、記憶部１２３に記憶された該当する著作権コンテンツ周知ｕｒｌを電子メールに添付する。メール作成部１２４は、受け付けたコンテンツが著作権コンテンツではなかった場合、該当するコンテンツのファイルを電子メールに添付する。メール作成部１２４は、作成した電子メールを送信部１２５へ出力する。
【００４１】
送信部１２５は、メール作成部１２４によって出力された電子メールを携帯電話機１０Ｂ（他の通信端末）へ送信する。
【００４２】
受信部１２６は、携帯電話機１０Ｂから電子メールを受信する。受信部１２６は、受信した電子メールを仮想添付判断部１２７へ出力する。
【００４３】
仮想添付判断部１２７（仮想添付判断手段）は、受信部１２６から出力された電子メールに仮想添付ファイルが添付されているか否かを判断する。仮想添付ファイルとは、著作権コンテンツ周知ｕｒｌが含まれたファイルである。仮想添付判断部１２７は、電子メールに著作権コンテンツ周知ｕｒｌが含まれている場合に、仮想添付ファイルが添付されていると判断する。
【００４４】
仮想添付判断部１２７は、仮想添付ファイルが添付されていると判断すると、該当する電子メールに含まれた著作権コンテンツ周知ｕｒｌを、利用者の入力する情報に基づいて要求部１２１又は記憶部１２３へ出力する。
【００４５】
以上説明したように、携帯電話機１０Ａ、１０Ｂには、搭載しているブラウザＷＷＷと電子メールとに改良が加われている。すなわち、携帯電話機１０Ａ、１０Ｂでは、ブラウザＷＷＷを使ってコンテンツをダウンロードした時に、ダウンロードしたコンテンツに著作権コンテンツ周知ｕｒｌが含まれているかどうかを判断する事ができる。また、ダウンロードしたコンテンツを携帯電話機の内部の記憶部１２３に保存する場合には、コンテンツのファイル情報と連動して著作権コンテンツ周知ｕｒｌ情報を格納する事ができる。
【００４６】
また、携帯電話機１０Ａ、１０Ｂは、電子メールを使って、保存した著作権コンテンツを添付送信する代替えとして、著作権コンテンツ周知ｕｒｌを添付送信する事ができる。携帯電話機１０Ａ、１０Ｂは、電子メールを使って著作権コンテンツ周知ｕｒｌが付与されたメールを受信した場合には、仮想添付ファイルを受信したと判断する事ができる。
【００４７】
携帯電話機は、仮想添付ファイルと判断をした場合には、その場で著作権コンテンツの実データを取得する為にブラウザを起動する事もできる。また後から著作権コンテンツを取得できるように実データファイルよりも小さなメモリサイズで携帯電話機に保存する事もできる。保存する場合には、仮想添付ファイルに含まれているファイル属性等の情報と著作権コンテンツ周知ｕｒｌとを関連付けて保存する。
【００４８】
引き続いて、図４，５を参照して、ＣＰサーバ４０Ａ〜４０Ｄについて説明する。図４は、本実施形態に係るＣＰサーバの概略構成図である。図５は、本実施形態に係るＣＰサーバの機能的な構成図である。ＣＰサーバ４０Ａ〜４０Ｄは、互いに同じ物理的及び機能的な構成を有するので、ＣＰサーバ４０Ａについて説明し、ＣＰサーバ４０Ｂ〜４０Ｄについての説明は省略する。
【００４９】
図４に示すように、ＣＰサーバ４０Ａは、構成要素として、ＣＰＵ４０１，メモリ４０２、記憶ディスク４０３、ＬＡＮインターフェース４０４、コンソール４０５、ディスプレイ４０６、制御部４０７、記憶管理部４０８、ネットワーク制御部４０９、インターネット制御部４１０を有する。
【００５０】
ＣＰサーバ４０Ａは、ＣＰＵ４０１上で動作する制御部４０７、ネットワーク制御部４０９、インターネット制御部４１０によって動作する。
【００５１】
携帯電話機１０Ａ，１０Ｂから送信される要求ＨＴＴＰリクエストは、ＬＡＮインターフェースを経由して送られてくる。送られてきた要求ＨＴＴＰリクエストは、インターネット制御部４１０にて処理された後に、制御部４０７においてコンテンツの配信要求と判断される。
【００５２】
制御部４０７は、記憶管理部４０８を経由して、コンテンツの配信要求によって要求されている著作権コンテンツ及び著作権コンテンツ周知ｕｒｌを記憶ディスク４０３から抽出してくる。制御部４０７は、抽出した著作権コンテンツ及び著作権コンテンツ周知ｕｒｌを用いてコンテンツ取得応答を作成する。
【００５３】
作成したコンテンツ取得応答は、制御部４０７によってネットワーク制御部４０９に引き渡される。ネットワーク制御部４０９は、ＬＡＮインターフェース４０４を経由して、引き渡されたコンテンツ取得応答をコンテンツの配信要求を行った携帯電話機１０Ａに送信する。著作権コンテンツの登録、変更、削除及び管理データの編集はコンソール４０５とディスプレイ４０６とを使用して行う。
【００５４】
引き続いて、図５を参照してＣＰサーバ４０Ａの機能的な構成要素について詳細に説明する。ＣＰサーバ４０Ａは、機能的な構成要素として、受信部（受信手段）４２１、認証部４２３、著作権判断部（判断手段）４２３、設定部（設定手段）４２４、記憶部（記憶手段）４２５、及び送信部（送信手段）４２８を備える。
【００５５】
受信部４２１は、携帯電話機１０Ａ，１０Ｂからコンテンツの配信要求を受信する。すなわち、受信部４２１は、コンテンツを特定する情報を含みコンテンツの配信を要求する旨の要求ＨＴＴＰリクエストを受信する。また、受信部４２１は、著作権コンテンツ周知ｕｒｌの情報を含み該当するコンテンツの配信を要求する旨の要求ＨＴＴＰリクエストを受信する。受信部４２１は、受信した要求ＨＴＴＰリクエストを著作権判断部４２２へ出力する。
【００５６】
著作権判断部４２２は、要求ＨＴＴＰリクエストによって要求されたコンテンツが著作権の設定された著作権コンテンツか否かを判断する。著作権判断部４２２は、要求ＨＴＴＰリクエストに著作権コンテンツ周知ｕｒｌが含まれている場合は、要求されたコンテンツが著作権コンテンツであると判断する。
【００５７】
また、著作権判断部４２２は、要求ＨＴＴＰリクエストに著作権コンテンツ周知ｕｒｌが含まれていない場合は、要求ＨＴＴＰリクエストに含まれるコンテンツを特定する情報に基づいて、記憶部４２５に記憶されているコンテンツの中から該当するコンテンツを抽出する。著作権判断部４２２は、抽出したコンテンツにファイル転送禁止情報が埋め込まれている場合に、要求されたコンテンツが著作権コンテンツであると判断し、抽出したコンテンツにファイル転送禁止情報が埋め込まれていない場合は、要求されたコンテンツが著作権の設定されていないコンテンツであると判断する。
【００５８】
著作権判断部４２２は、要求されたコンテンツが著作権の設定されたコンテンツであると判断した場合に、該当する要求ＨＴＴＰリクエストを認証部４２３へ出力する。また、著作権判断部４２２は、要求されたコンテンツが著作権の設定されていないコンテンツであると判断した場合は、記憶部４２５へ要求ＨＴＴＰリクエストを出力する。
【００５９】
認証部４２３は、著作権判断部４２２から出力された要求ＨＴＴＰリクエストに含まれるＩＤと後述する購入情報データベース４２６とを用いて利用者の認証を行う。また、認証部４２３は、要求ＨＴＴＰリクエストに著作権コンテンツ周知ｕｒｌが含まれている場合は、後述する紹介者情報データベース４２７を参照して、著作権コンテンツ周知ｕｒｌを伝達した紹介者の認証を行う。認証を行った後、認証部４２３は、要求ＨＴＴＰリクエストを設定部４２４へ出力する。
【００６０】
設定部４２４は、出力された要求ＨＴＴＰリクエストが示すコンテンツ及びＩＤに応じて著作権コンテンツ周知ｕｒｌを設定する。例えば、要求ＨＴＴＰリクエストに含まれるＩＤが「ユーザ（１）」、要求するコンテンツが「著作権コンテンツ（Ａ）」である場合、設定部４２４は、「ユーザ（１）」及び「著作権コンテンツ（Ａ）」に対して「著作権コンテンツ周知ｕｒｌ（１）」と設定する。より具体的には、設定部４２４は、著作権コンテンツが記憶されている記憶領域を特定可能なＵＲＬ等に、ＩＤに対応した情報を付加して著作権コンテンツ周知ｕｒｌを設定する。
【００６１】
また、例えば、ある利用者が所有する携帯電話機（ＩＤ「ユーザ（１）」）とＰＤＡ（
ＩＤ「ユーザ（２）」）とからそれぞれ同じ「著作権コンテンツ（Ａ）」を要求する旨の要求ＨＴＴＰリクエストが送信される場合がある。「著作権コンテンツ（Ａ）」においてＩＤが「ユーザ（１）」である携帯電話機に対応する形式とＩＤが「ユーザ（２）」であるＰＤＡに対応する形式とが同一である場合、設定部４２４は、ＩＤ「ユーザ（１）」とＩＤ「ユーザ（２）」とに対して同一の「著作権コンテンツ周知ｕｒｌ（１）」を設定する。「著作権コンテンツ（Ａ）」においてＩＤが「ユーザ（１）」である携帯電話機に対応する形式とＩＤが「ユーザ（３）」であるＰＤＡに対応する形式とが異なる場合、設定部４２４は、ＩＤが「ユーザ（１）」である携帯電話機に対して「著作権コンテンツ周知ｕｒｌ（１）」を設定し、ＩＤが「ユーザ（３）」であるＰＤＡに対して「著作権コンテンツ周知ｕｒｌ（２）」を設定する。
【００６２】
設定部４２４は、このように設定した著作権コンテンツ周知ｕｒｌ及び要求ＨＴＴＰリクエストを記憶部４２５へ出力する。
【００６３】
記憶部４２５は、購入情報データベース４２６と紹介者情報データベース４２７とを有する。図６は、本実施形態に係るＣＰサーバに含まれる購入情報データベースの構成を示す図である。図７は、本実施形態に係るＣＰサーバに含まれる紹介者情報データベースの構成を示す図である。
【００６４】
購入情報データベース４２６は、図６に示すように、著作権コンテンツを要求した利用者と、著作権コンテンツと、対応する著作権コンテンツ周知ｕｒｌとを関連付けて記憶する。例えば、購入情報データベース４２６は、要求ＨＴＴＰリクエストに含まれるＩＤ「ユーザ（１）」と要求対象である「著作権コンテンツ（Ａ）」と設定部４２４によって設定された「著作権コンテンツ周知ｕｒｌ（１）」とを関連付けて記憶する。
【００６５】
設定部４２４が、「著作権コンテンツ（Ａ）」に関し、ＩＤ「ユーザ（１）」及びＩＤ「ユーザ（２）」に対して同一の「著作権コンテンツ周知ｕｒｌ（１）」を設定した場合、購入情報データベース４２６は、「著作権コンテンツ（Ａ）」に関し、「ユーザ（１）」及び「ユーザ（２）」と「著作権コンテンツ周知ｕｒｌ（１）」とを関連付けて記憶する。また、設定部４２４が、「著作権コンテンツ（Ａ）」に関し、ＩＤ「ユーザ（１）」に対して「著作権コンテンツ周知ｕｒｌ（１）」を設定し、ＩＤ「ユーザ（３）」に対して「著作権コンテンツ周知ｕｒｌ（２）」を設定した場合、購入情報データベース４２６は、「ユーザ（１）」と「著作権コンテンツ周知ｕｒｌ（１）」とを関連付けて記憶し、「ユーザ（３）」と「著作権コンテンツ周知ｕｒｌ（２）」とを関連付けて記憶する。
【００６６】
また、紹介者情報データベース４２７は、図７に示すように、著作権コンテンツ周知ｕｒｌに関して、紹介者を特定するＩＤと購入者を特定するＩＤとを関連付けて記憶する。紹介者を特定するＩＤとは、著作権コンテンツ周知ｕｒｌを設定され、その著作権コンテンツ周知ｕｒｌをメールに添付して他の通信端末へ通知した通信端末又は利用者を特定するＩＤである。購入者を特定するＩＤとは、著作権コンテンツ周知ｕｒｌを用いてコンテンツの要求を行った通信端末又は利用者を特定するＩＤである。
【００６７】
例えば、紹介者情報データベース４２７は、「著作権コンテンツ（Ａ）」に対応する「著作権コンテンツ周知ｕｒｌ（１）」に関して、「著作権コンテンツ周知ｕｒｌ（１）」を設定された利用者のＩＤである「紹介者（１）」と、「著作権コンテンツ周知ｕｒｌ（１）」を用いて「著作権コンテンツ（Ａ）」の要求を行った利用者のＩＤである「購入者（１）」とを関連付けて記憶する。
【００６８】
記憶部４２５は、記憶した著作権コンテンツ周知ｕｒｌ及び著作権コンテンツを送信部４２８へ出力する。
【００６９】
図５に戻って、送信部４２８は、記憶部４２５から出力された著作権コンテンツ周知ｕｒｌと著作権コンテンツとを要求ＨＴＴＰリクエストを送信した携帯電話機１０Ａへ返信する。
【００７０】
引き続いて、コンテンツ伝達システム１の動作について説明すると共に、コンテンツ伝達方法について説明する。まず、携帯電話機１０Ａの動作について図８を参照して説明する。図８は、携帯電話機における著作権コンテンツ及び著作権コンテンツ周知ｕｒｌを取得する際の動作を示すフローチャートである。
【００７１】
まず、著作権コンテンツの配信を要求する旨の要求ＨＴＴＰリクエストが、ＷＷＷブラウザを使用して要求部１２１によってＣＰサーバへ送信される（Ｓ１０１）。要求ＨＴＴＰリクエストの送信に応じて、応答情報である応答ＨＴＴＰレスポンスが、情報取得部１２２によって受信される（Ｓ１０２）。応答ＨＴＴＰレスポンスが該当するコンテンツのダウンロードに対応した応答情報かどうか、情報取得部１２２によって判断される（Ｓ１０３）。
【００７２】
応答ＨＴＴＰレスポンスが該当するコンテンツのダウンロードに対応した応答情報でないと判断された場合（Ｓ１０３でＮＯ）、ステップＳ１０１に戻る。このようにして、該当するＣＰサーバを検索する。応答ＨＴＴＰレスポンスが該当するコンテンツのダウンロードに対応した応答情報であると判断された場合（Ｓ１０３でＹＥＳ）、応答ＨＴＴＰレスポンスに著作権コンテンツ周知ｕｒｌが含まれているかどうか、情報取得部１２２によって判断される（Ｓ１０４）。
【００７３】
著作権コンテンツ周知ｕｒｌ又はアクセス先の情報が含まれていないと判断された場合（Ｓ１０４でＮＯ）、著作権コンテンツ周知ｕｒｌ又はアクセス先の情報の付与を依頼する情報を付加してコンテンツの配信を要求する取得ＨＴＴＰリクエストが生成される（Ｓ１０５）。そして、生成された取得ＨＴＴＰリクエストが情報取得部１２２によって送信される（Ｓ１０６）。著作権コンテンツ周知ｕｒｌが含まれていると判断された場合（Ｓ１０４でＹＥＳ）、著作権コンテンツ周知ｕｒｌが記憶部１２３によって記憶され、コンテンツの配信を要求する取得ＨＴＴＰリクエストが生成されて、情報取得部１２２によって送信される（Ｓ１０６）。
【００７４】
取得ＨＴＴＰリクエストの送信に応じたＨＴＴＰレスポンスが情報取得部１２２によって受信され、ＣＰサーバ４０Ａから著作権コンテンツと共に著作権コンテンツ周知ｕｒｌが配信される（Ｓ１０７）。そして、著作権コンテンツ及び著作権コンテンツ周知ｕｒｌが携帯電話機１０Ａによって取得され、著作権コンテンツと著作権コンテンツ周知ｕｒｌとが、関連付けて記憶部１２３によって記憶される（Ｓ１０８）。このようにして、携帯電話機１０Ａによって、著作権コンテンツと著作権コンテンツ周知ｕｒｌとが取得される。
【００７５】
次に、図９を参照して、携帯電話機１０Ａ及びＣＰサーバ４０Ａの動作について説明する。図９は、本実施形態に係る携帯電話機及びＣＰサーバの動作を示すシーケンス図である。
【００７６】
まず、要求ＨＴＴＰリクエストが、携帯電話機１０Ａの要求部１２１によってＣＰサーバ４０Ａへ送信される（要求ステップ）（Ｓ３０１）。要求ＨＴＴＰリクエストがＣＰサーバの受信部４２１によって受信される（受信ステップ）と、要求されたコンテンツが著作権コンテンツか否か著作権判断部４２２によって判断される（判断ステップ）（Ｓ３０２）。
【００７７】
要求されたコンテンツが著作権コンテンツであると判断されると、著作権コンテンツ周知ｕｒｌが設定部４２４によって設定される（設定ステップ）（Ｓ３０３）。著作権コンテンツ周知ｕｒｌが設定されると、著作権コンテンツ周知ｕｒｌを含む応答ＨＴＴＰレスポンスが、ＣＰサーバの送信部４２８によって携帯電話機１０へ送信される（Ｓ３０４）。
【００７８】
応答ＨＴＴＰレスポンスが情報取得部１２２によって取得されると、応答ＨＴＴＰレスポンスに含まれる著作権コンテンツ周知ｕｒｌを用いてコンテンツの配信を要求する取得ＨＴＴＰリクエストが、携帯電話機１０Ａの情報取得部１２２によってＣＰサーバへ送信される（Ｓ３０５）。
【００７９】
取得ＨＴＴＰリクエストがＣＰサーバによって取得されると、取得ＨＴＴＰリクエストに応じた著作権コンテンツが、ＣＰサーバの送信部４２８によって携帯電話機１０Ａへ送信される（送信ステップ）（Ｓ３０６）。このようにして、ＣＰサーバにおいて著作権コンテンツ周知ｕｒｌが設定されて、著作権コンテンツと共に携帯電話機１０Ａへ提供される（情報取得ステップ）。このようにして提供された著作権コンテンツと著作権コンテンツ周知ｕｒｌは、記憶部１２３によって互いに関連付けて記憶される（記憶ステップ）。
【００８０】
次に、図１０を参照して、携帯電話機１０Ａにおいて著作権コンテンツを伝達するための電子メールを作成する際の動作（情報送信ステップ）について説明する。図１０は、携帯電話機において著作権コンテンツを伝達するための電子メールを作成する際の動作を示すフローチャートである。
【００８１】
まず、宛先及び本文等が操作部１０５によって受け付けられ、メールが作成される（Ｓ５０１）。そして、記憶部１２３に記憶されたコンテンツが利用者によって選択され、メールに添付するコンテンツのファイルが選択される（Ｓ５０２）。コンテンツのファイルが選択されると、該当するコンテンツが著作権コンテンツか否かメール作成部１２４によって判断される（Ｓ５０３）。
【００８２】
該当するコンテンツが著作権コンテンツではないと判断された場合（Ｓ５０３でＮＯ）、該当するコンテンツのファイルがメール作成部１２４によって電子メールに添付され、添付ファイルが設定される（Ｓ５０９）。そして、添付ファイルが設定された電子メールが送信部１２５によって送信され（Ｓ５１０）、メールの作成を終了する。
【００８３】
該当するコンテンツが著作権コンテンツであると判断された場合（Ｓ５０３でＹＥＳ）であって、記憶部１２３に記憶された著作権コンテンツ周知ｕｒｌが記憶されていない場合（Ｓ５０４でＮＯ）、選択されたコンテンツを添付できない旨の添付ＮＧを表示部１０６によって表示する（Ｓ５０５）。そして、メールの作成を終了する。
【００８４】
記憶部１２３に記憶された著作権コンテンツ周知ｕｒｌが記憶されている場合（Ｓ５０４でＹＥＳ）、該当するコンテンツに含まれるファイルの属性を示す情報が、メール作成部１２４によって取得される（Ｓ５０６）。また、該当するコンテンツの著作権コンテンツ周知ｕｒｌが記憶部１２３からメール作成部１２４によって取得される（Ｓ５０７）。
【００８５】
そして、ファイルの属性を示す情報と著作権コンテンツ周知ｕｒｌとを含む仮想的なデジタル情報が、メール作成部１２４によって作成される（Ｓ５０８）。仮想的なデジタル情報が作成されると、その仮想デジタル情報が、電子メールの添付エリアにメール作成部１２４によって設定され、添付ファイルの設定がなされる（Ｓ５０９）。
【００８６】
そして、添付ファイルが設定された電子メールが送信部１２５によって送信される（Ｓ５１０）。このようにして、著作権コンテンツ周知ｕｒｌを添付した電子メールが作成されて、携帯電話機１０Ｂ（他の通信端末）へ送信される。
【００８７】
図１１は、購入者Ａさん（紹介者）が所有する携帯電話機１０Ａから購入希望者Ｂさん（購入者）が所有する携帯電話機１０Ｂに、著作権コンテンツ周知ｕｒｌと共に伝達するコンテンツの情報の要素を示す概念図である。著作権コンテンツに関して、ファイル属性と日付と著作権有無情報と著作権元情報と著作権コンテンツ周知ｕｒｌとコンテンツ本体とが、記憶部１２３によって関連付けて記憶されている。電子メールを利用して携帯電話機１０Ａから携帯電話機１０Ｂに著作権コンテンツを伝達する場合には、コンテンツ本体は送らずに仮想デジタル情報としてファイル属性と著作権コンテンツ周知ｕｒｌを伝達する。
【００８８】
このようにして、携帯電話機１０Ａに記憶されているコンテンツを携帯電話機１０Ｂへ電子メールで送る際、まず、携帯電話機１０Ａに備えられているメール作成部１２４において著作権コンテンツであるか否かを判断する。伝達したいコンテンツが著作権の設定された著作権コンテンツである場合には、コンテンツをファイル属性と著作権コンテンツ周知ｕｒｌに置き換えて電子メールの添付エリアに設定する。
【００８９】
携帯電話機１０Ｂは受信した電子メールに添付されている情報を仮想添付判断部１２７にて判断して仮想デジタル情報の場合には、電子メールの開封に合わせて著作権コンテンツ周知ｕｒｌへのアクセスを行うか確認を促す。その場で著作権コンテンツ周知ｕｒｌへアクセスを行うことによりコンテンツをダウンロードした場合には、仮想デジタル情報を著作権コンテンツ情報に置き換える。ダウンロードを行わない又は失敗した場合には、仮想デジタル情報のファイル属性に従ってデータを保存する。
【００９０】
また、伝達したいコンテンツが著作権の設定されていない一般コンテンツならば、携帯電話機１０Ａは電子メールに実コンテンツ（コンテンツ自体）を添付して携帯電話機１０Ｂに送付する。携帯電話機１０Ｂは受信した電子メールに添付されている情報を仮想添付判断部１２７にて判断して実コンテンツの場合には、電子メールの開封に合わせて表示を行う。
【００９１】
引き続いて、図１２を参照して、携帯電話機１０Ａ，１０ＢからＣＰサーバ４０Ａにアクセスして著作権コンテンツをダウンロードする場合の画面遷移について説明する。図１２は、携帯電話機からＣＰサーバにアクセスして著作権コンテンツをダウンロードする場合の画面遷移の概念図である。
【００９２】
ＣＰサーバ４０Ａが提供するトップページ（Ｓ２０１）からＣＰサーバ４０Ａにアクセスすると、著作権コンテンツリストのページ（Ｓ２０２）が表示部１０６によって表示される。著作権コンテンツリストのページ（Ｓ２０２）から「著作権コンテンツ（１）」を選択すると、「著作権コンテンツ（１）」を示すページ（Ｓ２０３）が表示され、「著作権コンテンツ（１）」のページ（Ｓ２０３）から「著作権コンテンツ（１）」と「著作権コンテンツ（１）」の「著作権コンテンツ周知ｕｒｌ（１）」とを携帯電話機１０Ａにダウンロードすることができる。同様にして、「著作権コンテンツ（２）」，「著作権コンテンツ（３）」と「著作権コンテンツ周知ｕｒｌ（２）」，「著作権コンテンツ周知ｕｒｌ（３）」とをダウンロードすることができる。
【００９３】
また、携帯電話機１０Ａにおいてダウンロードした「著作権コンテンツ周知ｕｒｌ（２）」を電子メールに添付して携帯電話機１０Ｂへ伝達すると、携帯電話機１０Ｂにおいて、「著作権コンテンツ周知ｕｒｌ（２）」を示すページ（Ｓ２０６）が表示される。
【００９４】
携帯電話機１０Ｂにおいて、「著作権コンテンツ周知ｕｒｌ（２）」のページ（Ｓ２０６）に従ってＣＰサーバ４０にアクセスすると、認証ページ（Ｓ２０７）が表示されて、認証が行われる。そして、ＣＰサーバ４０Ａが購入者（携帯電話機１０Ｂ）の認証を確認する事により「著作権コンテンツ（２）」のページ（Ｓ２０４）が表示され、「著作権コンテンツ（２）」ダウンロードする事ができる。なお、購入者が以前にも利用していたとＣＰ側が判断した場合には認証（Ｓ２０７）を省略する事も可能である。
【００９５】
引き続いて、図１３を参照して、ＣＰサーバ４０Ａにおいて、著作権コンテンツ周知ｕｒｌに関する情報を管理する動作について説明する。図１３は、ＣＰサーバ４０において、著作権コンテンツ周知ｕｒｌに関する情報を管理する動作を示すシーケンス図である。
【００９６】
著作権コンテンツの配信を要求する携帯電話機１０Ｂは、ブラウザ機能を利用して著作権コンテンツ周知ｕｒｌを含む要求ＨＴＴＰリクエストを送信する。携帯電話機１０Ｂによって送信される要求ＨＴＴＰリクエストが、ＣＰサーバ４０Ａ〜４０Ｄの受信部４２１によって受信される（Ｓ４０１）。受信された要求ＨＴＴＰリクエストに基づいて、要求されたコンテンツが著作権コンテンツであるか否か、著作権判断部４２２によって判断される（Ｓ４０２）。
【００９７】
要求されたコンテンツが著作権コンテンツではない場合（Ｓ４０２でＮＯ）、リクエストされたコンテンツを提供する等の結果を送信して（Ｓ４０３）、管理動作を終了する。要求されたコンテンツが著作権コンテンツである場合（Ｓ４０２でＹＥＳ）、紹介者情報データベース４２７を参照して、紹介者の認証が認証部４２３によって行われる（Ｓ４０４）。すなわち、著作権コンテンツ周知ｕｒｌをだれに付与したのか、紹介者情報データベース４２７から検索して紹介者を特定する。
【００９８】
紹介者の認証後、購入者の認証が認証部４２３によって行われる（Ｓ４０５）。購入情報データベース４２６を参照して、購入者が既に購入した購入者であるか否か、認証部４２３によって判断される（Ｓ４０６）。すなわち、購入者が、以前に同じコンテンツを購入していて２重購入になっていないか判断される。
【００９９】
購入情報データベース４２６を参照して認証した結果、購入者が既に該当する著作権コンテンツを購入した購入者である場合（Ｓ４０６でＹＥＳ）、再度購入を実施するか否か購入者に問い合わせて確認する。（Ｓ４０７）。再度購入を実施しない場合（Ｓ４０７でＮＯ）、コンテンツを送信しないことを通知して（Ｓ４０８）、管理動作を終了する。再度購入を実施する場合（Ｓ４０７でＹＥＳ）、要求された著作権コンテンツを送信し（Ｓ４１１）、管理動作を終了する。
【０１００】
購入者が既に購入した購入者でない場合（Ｓ４０６でＮＯ）、著作権コンテンツ周知ｕｒｌが設定部４２４によって設定される（Ｓ４０９）。設定された著作権コンテンツ周知ｕｒｌと著作権コンテンツとＩＤとを関連付けて購入情報データベース４２６へ書き込む（Ｓ４１０）。また、設定された著作権コンテンツ周知ｕｒｌと紹介者を識別するＩＤと購入者を識別するＩＤとを購入情報として紹介者情報データベース４２７へ書き込む。購入情報が書き込まれると、要求された著作権コンテンツと著作権コンテンツ周知ｕｒｌとが送信部４２８によって携帯電話機１０Ｂへ送信される（Ｓ４１１）。
【０１０１】
このようにして、ＣＰサーバ４０Ａ〜４０Ｄは、携帯電話機１０Ｂからのリクエストに応じて著作権コンテンツを提供すると供に、図６に示す購入情報データベース４２６，図７に示す紹介者情報データベース４２７を用いて情報を管理する。
【０１０２】
すなわち、図６に示すように、購入情報データベース４２６によって著作権コンテンツのダウンロード毎に、著作権コンテンツ周知ｕｒｌと著作権コンテンツと利用者（購入者）とを管理している。また、図６の購入情報データベース４２６を元にして、図７に示すように紹介者情報データベース４２７によって紹介者と購入者とを管理している。
【０１０３】
より具体的には、「紹介者（１）」は、著作権コンテンツのダウンロードと一緒に「著作権コンテンツ周知ｕｒｌ（１）」を入手する。そして、ダウンロードした著作権コンテンツ周知ｕｒｌを電子メールに添付して、「購入者（１）」、「購入者（２）」、及び「購入者（３）」に送付し、「購入者（１）」、「購入者（２）」、及び「購入者（３）」が「著作権コンテンツ（Ａ）」をダウンロードする。この場合、ＣＰサーバ４０Ａは、「購入者（１）」、「購入者（２）」、及び「購入者（３）」が「紹介者（１）」から教えてもらって「著作権コンテンツ（Ａ）」をダウンロードしたと紹介者情報データベース４２７に記憶する。
【０１０４】
また「購入者（５）」のように複数の著作権コンテンツ周知ｕｒｌを教えてもらった場合には、どの著作権コンテンツ周知ｕｒｌからアクセスを行っても「購入者（５）」の判別を行う事により２重管理を行わないようにできる。
【０１０５】
このようにすることにより、著作権コンテンツを取得した利用者と、その利用者からアクセス先情報を取得して著作権コンテンツを取得した利用者とを記憶できるので、どの利用者がどの利用者に著作権コンテンツを紹介したか記憶することができる。
【０１０６】
引き続いて、本発明に係る本実施形態の作用効果について説明する。
【０１０７】
本実施形態のＣＰサーバ４０Ａ〜４０Ｄによれば、著作権判断部４２２が、要求されたコンテンツが著作権コンテンツであると判断すると、設定部４２４が、著作権コンテンツの記憶されている記憶領域を特定可能な情報を含む著作権コンテンツ周知ｕｒｌを設定し、携帯電話機１０Ａによるコンテンツの配信要求に応じてＣＰサーバ４０Ａ〜４０Ｄの送信部４２８が著作権コンテンツと共に著作権コンテンツ周知ｕｒｌを提供する。よって、携帯電話機１０Ａにおいて、著作権コンテンツ自体を含まず複製及び電子メールへの添付が可能である著作権コンテンツ周知ｕｒｌを著作権コンテンツと共に情報取得部１２２によって取得することができる。そして、本実施形態の携帯電話機１０Ａによれば、記憶部１２３が、取得した著作権コンテンツと著作権コンテンツ周知ｕｒｌとを関連付けて記憶するので、携帯電話機１０Ａにおいて、著作権コンテンツと共に著作権コンテンツ周知ｕｒｌを管理することができる。そして、携帯電話機１０Ａの送信部１２５が携帯電話機１０Ｂに著作権コンテンツ周知ｕｒｌを送信するので、他の通信端末において、著作権コンテンツが記憶されている記憶領域を特定可能な情報を取得することができる。よって、利用者が取得した著作権コンテンツを別の利用者が簡易に取得可能とすることができる。
【０１０８】
すなわち、著作権コンテンツ周知ｕｒｌを受信した携帯電話機１０Ｂは、著作権コンテンツ周知ｕｒｌを用いて著作権コンテンツの配信要求を行うので、著作権コンテンツ自体を送信せずに、著作権コンテンツが記憶されている記憶領域を特定可能な情報を他の通信端末に提供して、他の通信端末において著作権コンテンツを取得することができる。
【０１０９】
また、携帯電話機１０Ａ，１０Ｂが著作権コンテンツ及び対応する著作権コンテンツ周知ｕｒｌを取得すると、配信要求に用いた著作権コンテンツ周知ｕｒｌと入れ替えて、取得した著作権コンテンツ及び著作権コンテンツ周知ｕｒｌを記憶部１２３に記憶するので、新たに取得した著作権コンテンツ周知ｕｒｌを確実に第三者へ伝達することができる。よって、当該携帯電話機１０Ａ，１０Ｂから伝達したことが伝達サーバにおいて確実に記憶されることとなる。また、携帯電話機１０Ａ，１０Ｂの利用者によるコンテンツの重複ダウンロードを抑制することができる。
【０１１０】
また、ＣＰサーバ４０Ａ〜４０Ｄ側にてコンテンツを提供する毎に、著作権コンテンツ周知ｕｒｌを変更し、紹介者情報データベース４２７によって情報を管理する。そのため、「紹介者（１）」の紹介で「購入者（１）」がアクセスした事を把握する事ができることとなる。したがって、「購入者（１）」がダウンロードを実行して著作権コンテンツを購入した場合には、「紹介者（１）」に対して紹介手数料等のフィードバックを行う事が可能となる。
【０１１１】
本発明は、上記実施形態に限定されるものではなく、種々の変形が可能である。例えば、コンテンツが著作権コンテンツか否かの判断をＣＰサーバ４０Ａ〜４０Ｄにおいて行っていたが、携帯電話機１０Ａにおいて行ってもよい。その場合、携帯電話機１０Ａは、コンテンツが著作権コンテンツか否かを判断する著作権判断部を備える。著作権判断部は、提供されるコンテンツを特定する情報に基づいて、目的のコンテンツ内部にファイル転送禁止情報が埋め込まれている場合に著作権が設定された著作権コンテンツであると判断する。
【０１１２】
著作権判断部が著作権コンテンツであると判断した場合、情報取得部１２２は、著作権コンテンツと共に著作権コンテンツ周知ｕｒｌを提供するようにＣＰサーバ４０Ａへ要求する。
【０１１３】
この場合の携帯電話機１０ＡとＣＰサーバ４０Ａとの動作について図１４を参照して説明する。図１４は、携帯電話機１０ＡとＣＰサーバ４０Ａとの動作を示すシーケンスである。
【０１１４】
まず、要求ＨＴＴＰリクエストが、携帯電話機１０Ａの要求部１２１によってＣＰサーバ４０Ａへ送信される（Ｓ６０１）。要求ＨＴＴＰリクエストがＣＰサーバ４０Ａによって受信されると、提供するコンテンツを特定する情報とコンテンツの格納場所を示す情報とを含む応答ＨＴＴＰレスポンスが、ＣＰサーバの送信部４２８によって携帯電話機１０Ａへ送信される（Ｓ６０２）。応答ＨＴＴＰリクエストが携帯電話機１０Ａによって受信されると、提供されるコンテンツが著作権コンテンツか否か著作権判断部によって判断される（Ｓ６０３）。
【０１１５】
要求するコンテンツが著作権コンテンツであると判断されると、著作権コンテンツと共に著作権コンテンツ周知ｕｒｌを要求する旨の情報を含む取得ＨＴＴＰリクエストが、情報取得部１２２によってＣＰサーバ４０Ａへ送信される（Ｓ６０４）。取得ＨＴＴＰリクエストがＣＰサーバ４０Ａによって受信されると、著作権コンテンツ周知ｕｒｌが、ＣＰサーバ４０Ａの設定部４２４によって設定される（Ｓ６０５）。
【０１１６】
著作権コンテンツ周知ｕｒｌがＣＰサーバ４０Ａによって取得されると、取得ＨＴＴＰリクエストに応じた著作権コンテンツ及び著作権コンテンツ周知ｕｒｌが、ＣＰサーバ４０Ａの送信部４２８によって携帯電話機１０Ａへ送信される（Ｓ６０６）。
【０１１７】
このようにして、携帯電話機１０Ａにおいて、要求するコンテンツが著作権コンテンツであることを判断して、ＣＰサーバ４０Ａにおいて著作権コンテンツ周知ｕｒｌが設定され、著作権コンテンツと共に著作権コンテンツ周知ｕｒｌが、携帯電話機１０Ａへ提供される。
【０１１８】
他にも、本発明は、上記実施形態に限定されるものではなく、種々の変形が可能である。
【０１１９】
例えば、上記実施形態においては、通信端末として携帯電話機１０Ａ，１０Ｂを用いているが、これに限定されない。例えば、移動通信網の基地局との間で無線通信を行う機能を有する簡易型携帯電話機、および携帯電話機や簡易型携帯電話機に接続された携帯型情報端末などを通信端末として利用してもよい。
【０１２０】
さらに、移動通信網を経由せず、インターネットおよびLAN(Local Area Network)などのネットワークを介してコンテンツサーバあるいはメールサーバに接続可能なパーソナルコンピュータあるいは携帯型情報端末などを通信端末として利用してもよい。
【０１２１】
また、上記実施形態において説明した著作権が設定されたコンテンツは一度携帯電話機に保存を行っているがダウンロードした直後にメールを送ることも可能である。
【０１２２】
また、上記実施形態においては、画像情報、音楽情報、動画情報を例としているが、著作権情報がコンテンツに含まれる形式であれば、その情報はプログラムファイルでもよい。またその情報が文書ファイルに含まれる形式でもよい。
【図面の簡単な説明】
【０１２３】
【図１】本実施形態にかかるコンテンツ伝達システムの概要構成図である。
【図２】本実施形態に係る携帯電話機の概略構成図である。
【図３】本実施形態に係る携帯電話機の機能的な構成図である。
【図４】本実施形態に係るＣＰサーバの概略構成図である。
【図５】本実施形態に係るＣＰサーバの機能的な構成図である。
【図６】本実施形態に係るＣＰサーバに含まれる購入情報データベースの構成を示す図である。
【図７】本実施形態に係るＣＰサーバに含まれる紹介者情報データベースの構成を示す図である。
【図８】携帯電話機における著作権コンテンツ及び著作権コンテンツ周知ｕｒｌを取得する際の動作を示すフローチャートである。
【図９】本実施形態に係る携帯電話機及びＣＰサーバの動作を示すシーケンス図である。
【図１０】携帯電話機において著作権コンテンツを伝達するための電子メールを作成する際の動作を示すフローチャートである。
【図１１】携帯電話機から他の携帯電話機に、著作権コンテンツ周知ｕｒｌと共に伝達するコンテンツの情報の要素を示す概念図である。
【図１２】携帯電話機からＣＰサーバにアクセスして著作権コンテンツをダウンロードする場合の画面遷移の概念図である。
【図１３】ＣＰサーバにおいて、著作権コンテンツ周知ｕｒｌに関する情報を管理する際の動作を示すシーケンス図である。
【図１４】本実施形態に係る携帯電話機及びＣＰサーバの動作の変形例を示すシーケンス図である。
【符号の説明】
【０１２４】
１…コンテンツ伝達システム、１０Ａ，１０Ｂ…携帯電話機、２０Ａ…移動体通信網、３０Ａ…インターネット、４０Ａ〜４０Ｄ…ＣＰサーバ、１２１…要求部、１２２…情報取得部、１２３…記憶部、１２４…メール作成部、１２４…作成部、１２５…送信部、１２６…受信部、１２７…仮想添付判断部、４２１…受信部、４２２…著作権判断部、４２３…認証部、４２４…設定部、４２５…記憶部、４２６…購入情報データベース、４２７…紹介者情報データベース、４２８…送信部。
【図１】
2007164588.tif 000003
【図２】
2007164588.tif 000004
【図３】
2007164588.tif 000005
【図４】
2007164588.tif 000006
【図５】
2007164588.tif 000007
【図６】
2007164588.tif 000008
【図７】
2007164588.tif 000009
【図８】
2007164588.tif 000010
【図９】
2007164588.tif 000011
【図１０】
2007164588.tif 000012
【図１１】
2007164588.tif 000013
【図１２】
2007164588.tif 000014
【図１３】
2007164588.tif 000015
【図１４】
2007164588.tif 000016